(57)【要約】【課題】供給電圧が制限されている場合でも十分に高い送信出力が得られる補聴器の遠隔操作用のデータ送受信装置を提供する。【解決手段】送信器（１）の送信コイル（２）と受信器（９）の受信コイル（４）とが共通なコア（３）上に巻回される。さらに、受信器（９）の保護のために使用される保護コンデンサ（６）が、同時に、受信振動回路（４，５）の固有周波数を修正するための修正コンデンサとして使用される。【選択図】図１
2004242302.tif 000002
【特許請求の範囲】
【請求項１】
送信コイル（２）を有しデータを送信する送信装置と、受信コイル（４）を有しデータを受信する受信装置とを備えた補聴器の遠隔操作用のデータ送受信装置において、
受信コイル（４）が送信のために送信コイル（２）によって励磁可能であるように、送信コイル（２）と受信コイル（４）とが共通なコア（３）を有することを特徴とする補聴器の遠隔操作用のデータ送受信装置。
【請求項２】
受信装置は受信器（９）を有し、受信コイル（４）は保護回路によって受信器（９）から分離されていることを特徴とする請求項１記載の装置。
【請求項３】
保護回路はコンデンサ（６）と、このコンデンサ（６）に直列接続された２つのダイオード（７，８）の逆並列回路とからなることを特徴とする請求項２記載の装置。
【請求項４】
保護回路は受信コイル（４）に並列接続されていることを特徴とする請求項２又は３記載の装置。
【請求項５】
受信装置（４）及び送信装置（２）は５０〜２００ｋＨｚの周波数範囲用として設計されていることを特徴とする請求項１乃至４の１つに記載の装置。
【請求項６】
受信装置は、受信コイル（４）が振動コイルを形成する受信振動回路（４，５）を有することを特徴とする請求項１乃至５の１つに記載の装置。
【請求項７】
受信装置は、受信振動回路の固有周波数を修正するための修正コンデンサ（６）を有することを特徴とする請求項６記載の装置。
【請求項８】
修正コンデンサ（６）は受信器のための保護コンデンサであることを特徴とする請求項７記載の方法。
【発明の詳細な説明】
【技術分野】
【０００１】
本発明は、送信コイルを有しデータを送信する送信装置と、受信コイルを有しデータを受信する受信装置とを備えた補聴器の遠隔操作用のデータ送受信装置に関する。
【背景技術】
【０００２】
この種の装置は公知である（例えば、特許文献１参照）。この公知の装置は、補聴器と少なくとも１つの外部機器との間で無線データ伝送を行なうための補聴器用の送信及び／又は受信ユニットとして用いられる。多数の送信コイル及び／又は受信コイルが異なる空間方向に向けられている。
【０００３】
磁気的に密に相互に結合されている多数のコイルが使用されているトランスポンダ・アンテナ装置は公知である（例えば、特許文献２）。共通のコアに配置された２つ又はそれ以上のコイルがデータ伝送のために使用される。
【０００４】
トランシーバにおける信号の送信及び受信には、長波範囲用に特にコイルが使用される。なぜならば、長波範囲においては主に誘導伝送が行なわれるからである。誘導伝送のためには十分に強い磁界が発生させられなければならない。
【０００５】
例えば補聴器の遠隔装置のように非常に低い供給電圧しか使用しない場合、外部から固定の周波数で強制励磁され十分な送信出力を持つ送信振動回路を実現することは技術的に困難である。強い磁界用には、一方では十分な磁界強さを得るために巻回数の多いコイルが必要である。他方では、このようなコイルは相応に高いインダクタンスを持ち、それにより相応に高い交流インピーダンスを持つ。それによって、コイルにより送られる電流は強く減少させられる。なぜならば、最大電流は供給電圧と交流インピーダンスとの商によって与えられるからである。
【０００６】
特に受信回路では、比較的弱い磁界からできるだけ大きな電圧を発生させるために、できるだけ多くの巻回数を持つコイルが不可欠である。しかし、正にこのようなコイルは、低い供給電圧において強い磁界を発生させるための送信コイルとして不適当となる。この問題は、とりわけ５０〜５００ｋＨｚの範囲の比較的低い周波数を使用して特に２つの機器を遠隔接続する際に生じる。
【０００７】
無線遠隔操作の十分に高い到達距離を達成するためには、相応に強い送信磁界が必要である。無線遠隔操作をデータ受信用にも設計しようとするならば、さらに受信用の別コイル又は別巻線が必要である。しかし、この種の受信コイルは送信コイルの磁界によって強く過変調される。この構成は保護手段なしでは受信入力段の破壊を招く。
【０００８】
この問題を回避するために、自由振動する振動回路が使用される。この振動回路は自己励振を繰り返し、振動回路では電圧、従って電流がより大きい値へ上昇する。しかしながら、振動回路はそれの共振周波数で振動し、外部から予め与えられた所望の周波数で正確に振動するのではない。この解決策に対する代替として、送信コイルによって大きな電流を強いるためには供給電圧を高くすればよいことが明らかである。
【特許文献１】独国実用新案第２０１１４４６１号明細書
【特許文献２】西独特許出願公開第４４３１４４６号明細書
【発明の開示】
【発明が解決しようとする課題】
【０００９】
従って、本発明の課題は、供給電圧が制限されている場合でも十分に高い送信出力が得られる補聴器の遠隔操作用のデータ送受信装置を提供することにある。
【課題を解決するための手段】
【００１０】
この課題は、送信コイルを有しデータを送信する送信装置と、受信コイルを有しデータを受信する受信装置とを備えた補聴器の遠隔操作用のデータ送受信装置において、受信コイルが送信のために送信コイルによって励磁可能であるように、送信コイルと受信コイルとが共通なコアを有することによって解決される。
【００１１】
本発明によれば、互いに独立した２つのコイルを２つのコイルコアに巻回する必要がないので有利である。本発明においては、必要な全てのコイルを単一のコア上に巻回することができる。それによってスペースを節約することができる。正に小規模の遠隔操作では５０〜２００ｋＨｚの周波数範囲における比較的大きなコイルのために用意できるスペースは僅かである。１つのコアの節約は、遠隔操作部分つまり一般には送信器もしくは受信器の体積の明白な小形化を可能にする。
【００１２】
受信コイルは一般に送信コイルよりも著しく多い巻回数を有するので、非常に低い作動電圧しか使用しないにもかかわらず、付加的な技術的費用なしに非常に強い送信磁界が発生可能である。従って、付加的な電圧増倍器は必要でなく、もしくは低電圧の電池を使用することができ、あるいは直列接続されなければならない電池が少なくてすむ。それによってもスペースもしくは構造空間が節約される。
【００１３】
１つのコア上で送信コイルと受信コイルとを組合せることは、製造上結局、２つの完全に分離したコイルよりも安価である。
【００１４】
受信装置は受信器を有し、受信コイルは保護回路によって受信器から分離される。これは、送信コイル及び受信コイルの変圧作用によって起こり得る過電圧から受信器を保護するために行なわれる。とりわけ、保護回路はコンデンサと、このコンデンサに直列接続された２つのダイオードの逆並列回路とからなる。この保護回路は、受信器に過電圧がかかるのを、受信器の入力端に接続されているダイオード逆並列回路により阻止する。
【００１５】
とりわけ、受信装置及び送信装置は５０〜２００ｋＨｚの周波数範囲用として設計されている。この周波数範囲は遠隔操作用として許可されている。
【００１６】
受信装置は受信振動回路を有し、受信コイルが振動コイルを形成することができる。これにより受信振動回路は特に送信出力増幅器として使用される。
【００１７】
受信装置は、受信振動回路の固有周波数を修正するための修正コンデンサを有するとよい。これによって、送信コイルのインダクタンスによって引き起こされる周波数変動が補償される。保護回路からの保護コンデンサを同時に修正コンデンサとして利用することによって、別の構成部品を節約すると好ましい。
【発明を実施するための最良の形態】
【００１８】
以下において添付図面を参照しながら本発明を更に詳細に説明する。図１は本発明による伝送装置の回路図を示す。
【００１９】
以下において説明する実施例は本発明の優れた実施形態である。
【００２０】
図１に示された回路図によれば、送信器１が１つ又は複数の送信コイル２を有している。送信コイル２は共通なコア３を介して受信コイル４と結合されている。受信コイル４に並列に振動回路コンデンサ５が接続されている。並列振動回路の両極には、保護コンデンサ６とこの保護コンデンサ６に直列接続された２つのダイオード７，８の逆並列回路とからなる保護回路が接続されている。逆並列接続されているダイオード７，８は受信器９の入力端に接続されている。
【００２１】
この回路の動作を以下に詳述する。必要な分離された受信コイル４が、送信コイル２も存在する同一のコア３上に巻回されている。それによって、コンデンサ５と共に完全な振動回路を形成する受信コイル４は送信コイル２によって同様に励起されて振動させられる。受信コイル４は送信コイル２に比べて多数の巻回数を有することから、送信過程中において受信回路４，５に比較的高い電圧が発生し、この電圧は振動回路の振動作用によって多数の巻回数にもかかわらずここでもかなり高い電流を生じる。今や、本来の送信コイル２は放射したエネルギーを後からなおも補充するだけである。従って、このコイル２にそれほど大きな電流を流す必要はない。今や、強い送信磁界は送信コイル２により励起された受信コイル４によって生じさせられる。外部から制御される送信コイル２による励起であるがゆえに、周波数も無条件に安定であり、外部から予め与え得る。それゆえに、振動回路における構成部品の公差は送信周波数に対して影響しない。公差は送信器1の効率にある程度作用を及ぼすだけである。
【００２２】
送信コイル２のインダクタンスによって、結合された受信コイル４のインダクタンスが変化するので、振動回路４，５の固有周波数が振動回路コンデンサ５の静電容量値の変化に従って修正されなければならない。振動回路のインダクタンスが小さくなると、振動回路の静電容量は大きくされなければならない。これに適した静電容量は、問題なしに、同時に敏感な受信入力段９のための保護手段として役立つように配線することができる。このような保護回路６，７，８はいずれにしても必要であることから、この回路解決策は追加部品無しで済ますことができる。保護回路６，７，８は修正コンデンサ６と２つの逆並列接続されたダイオード７，８とからなり、このダイオード７，８は受信振動回路のコンデンサ５に並列接続されている。受信信号はダイオード７，８のところで取出される。送信作動時に生じた高い典型的には約５０Ｖの電圧でダイオード７，８は導通状態になり、
ダイオードの手前にあるコンデンサ６を受信回路の振動回路コンデンサ５に並列接続する。それによって、送信作動のための振動回路４，５の基準周波数が修正される。同時に、高抵抗の受信器の入力端における信号はダイオード７，８よって最大約０．７ボルトに制限される。振動回路によって生じた大部分の電圧は保護コンデンサ６に降下する。
【００２３】
受信作動では受信信号は小さいのでダイオード７，８は阻止状態にある。受信信号の電圧は典型的には高々ｍＶ範囲である。それによって、本来の振動回路コンデンサ５しか動作状態にならない。同時に送信コイル２は遮断されている。すなわち、各送信コイル２の少なくとも一方の端子は開いている。それにより、各送信コイル２は受信振動回路４，５にはもはや作用しない。つまり、受信振動回路４，５は、受信振動回路が同調受信周波数で自由振動する。従って、信号は、ほぼ損失なしに保護もしくは修正コンデンサ６を介して保護ダイオード７，８に伝達される。受信電圧が僅かであることから、ダイオード７，８は阻止状態にある。すなわち、受信電圧は、ダイオード端子のところで高抵抗の受信入力端によって完全な大きさで取り出すことができる。
【００２４】
従って、上述の回路は、受信コイルが送信増幅器として使用されるという利点のほかに、スペースを低減させる利点も有する。なぜならば、送信コイル及び受信コイル用として１つの共通のコアが使用され、保護コンデンサが同時に修正コンデンサとしても使用されるからである。
【図面の簡単な説明】
【００２５】
【図１】本発明装置の一実施例を示す回路図
【符号の説明】
【００２６】
１        送信器
２        送信コイル
３        共通コア
４        受信コイル
５        振動回路コンデンサ
６        保護コンデンサもしくは修正コンデンサ
７        ダイオード
８        ダイオード
９        受信器
【図１】
2004242302.tif 000003